(57)【要約】【課題】ネットワークを介して接続された回答者端末において回答入力指示欄に入力された回答を受け取り、入力された回答について評価・確認を行ないその結果を簡便な表示に変換して前記回答者端末に返す。【解決手段】採点結果表示内容作成手段１１４は、回答入力指示欄がチェック式指示欄である場合に、たとえば未チェックの回答入力指示欄に対応する個所を、当該未チェックの前記回答入力指示欄と同一形状のイメージまたはキャラクタを用いて表示し、チェック済の回答入力指示欄に対応する個所を、当該チェック済の回答入力指示欄と同一形状のイメージまたはキャラクタを用いて表示した応答ページを作成し、採点結果表示内容作成手段１１４により作成した応答ページを回答者端末２に送り返す採点結果表示内容提供手段１１５とを備える。【選択図】　図１
2004145242.tif 000002
【特許請求の範囲】
【請求項１】
所定タグにより作成された回答入力指示欄を有する回答要求ページを、ネットワークを介して回答者端末に提供する回答要求ページ提供手段と、
前記回答者端末において回答入力指示欄に入力された回答を、当該回答者端末から受け取る回答取得手段と、
前記回答を評価して評価情報を作成する回答評価手段と、
前記評価情報の内容を含む応答ページを作成する応答ページ作成手段と、
前記応答ページ作成手段により作成した応答ページを前記回答者端末に送り返す応答ページ提供手段と、
を備えた回答評価・確認装置であって、
前記応答ページ作成手段は、前記回答入力指示欄がチェック式指示欄である場合に、
（ａ）未チェックおよびチェック済の前記回答入力指示欄に対応する個所を、未チェックの前記回答入力指示欄と類似のキャラクタを用いて表示した応答ページ、または、
（ｂ）未チェックの前記回答入力指示欄に対応する個所を、当該未チェックの前記回答入力指示欄と類似のキャラクタを用いて表示し、チェック済の前記回答入力指示欄に対応する個所を、当該チェック済の前記回答入力指示欄と類似のキャラクタを用いて表示した応答ページ、
を作成することを特徴とする回答評価・確認装置。
【請求項２】
前記応答ページ作成手段は、前記チェック式指示欄がチェックボックスであるときは、
（ａ）未チェックおよびチェック済のチェックボックスに対応する個所を、白抜き四角形キャラクタを用いて表示し、または、
（ｂ）未チェックのチェックボックスに対応する個所を白抜き四角形キャラクタで表示し、チェック済のチェックボックスは黒塗り四角形キャラクタで表示する、
ことを特徴とする請求項１に記載の回答評価・確認装置。
【請求項３】
前記応答ページ作成手段は、前記チェック式指示欄がラジオボタンであるときは、
（ａ）未チェックおよびチェック済のラジオボタンに対応する個所を、白抜き丸形キャラクタを用いて表示し、または、
（ｂ）未チェックのラジオボタンに対応する個所を、白抜き丸形キャラクタを用いて表示し、チェック済のラジオボタンに対応する個所を黒塗り丸形キャラクタを用いて表示する、
ことを特徴とする請求項１に記載の回答評価・確認装置。
【請求項４】
所定タグにより作成された回答入力指示欄を有する回答要求ページを、ネットワークを介して回答者端末に提供する回答要求ページ提供手段と、
前記回答者端末において回答入力指示欄に入力された回答を、当該回答者端末から受け取る回答取得手段と、
前記回答を評価して評価情報を作成する回答評価手段と、
前記評価情報の内容を含む応答ページを作成する応答ページ作成手段と
前記応答ページ作成手段により作成した応答ページを前記回答者端末に送り返す応答ページ提供手段と、
を備えた回答評価・確認装置であって、
前記応答ページ作成手段は、前記回答入力指示欄が文字記入式指示欄である場合に、
（ａ）前記回答入力指示欄に対応する個所を省略して表示した応答ページ、
（ｂ）回答入力前の前記回答入力指示欄に対応する個所を、所定のキャラクタまたはキャラクタ列を用いて表示した応答ページ、または、
（ｃ）前記回答入力指示欄に対応する個所を、入力されたキャラクタの修飾キャラクタまたは入力されたキャラクタ列の修飾キャラクタ列を用いて表示した応答ページを作成することを特徴とする回答評価・確認装置。
【請求項５】
前記応答ページ作成手段は、前記文字記入式指示欄が、単一文字、単数行または複数行のテキスト入力エリアであるときは、
前記テキスト入力エリアを、少なくとも１つの四角形キャラクタ、丸形キャラクタまたはアンダースコアを用いて表示し、または、所定キャラクタ（罫線素片を含む）を用いてテキスト入力エリアの輪郭を形取ることで表示することを特徴とする請求項４に記載の回答評価・確認装置。
【請求項６】
前記キャラクタは汎用キャラクタコードセットにより定義されたキャラクタであることを特徴とする請求項１から５の何れかに記載の回答評価・確認装置。
【請求項７】
所定タグにより作成された回答入力指示欄を有する回答要求ページを、ネットワークを介して回答者端末に提供する回答要求ページ提供手段と、
前記回答者端末において回答入力指示欄に入力された回答を、当該回答者端末から受け取る回答取得手段と、
前記回答を評価して評価情報を作成する回答評価手段と、
前記評価情報の内容を含む応答ページを作成する応答ページ作成手段と、
前記応答ページ作成手段により作成した応答ページを前記回答者端末に送り返す応答ページ提供手段と、
を備えた回答評価・確認装置であって、
前記応答ページ作成手段は、前記回答入力指示欄がチェック式指示欄である場合に、
（ａ）未チェックおよびチェック済の前記回答入力指示欄に対応する個所を、未チェックの前記回答入力指示欄と同一形状のイメージを用いて表示した応答ページ、または、
（ｂ）未チェックの前記回答入力指示欄に対応する個所を、当該未チェックの前記回答入力指示欄と同じ形状のイメージを用いて表示し、チェック済の前記回答入力指示欄に対応する個所を、当該チェック済の前記回答入力指示欄と同じ形状のイメージを用いて表示した応答ページ、
を作成することを特徴とする回答評価・確認装置。
【請求項８】
前記回答入力指示欄が、チェックボックスまたはラジオボタンであることを特徴とする請求項７に記載の回答評価・確認装置。
【請求項９】
所定タグにより作成された回答入力指示欄を有する回答要求ページを、ネットワークを介して回答者端末に提供する回答要求ページ提供手段と、
前記回答者端末において回答入力指示欄に入力された回答を、当該回答者端末から受け取る回答取得手段と、
前記回答を評価して評価情報を作成する回答評価手段と、
前記評価情報の内容を含む応答ページを作成する応答ページ作成手段と
前記応答ページ作成手段により作成した応答ページを前記回答者端末に送り返す応答ページ提供手段と、
を備えた回答評価・確認装置であって、
前記応答ページ作成手段は、前記回答入力指示欄が文字記入式指示欄である場合に、
前記回答入力指示欄に対応する個所を、当該回答入力欄形状に相当する下線イメージまたは枠線イメージを用いて表示した応答ページを作成することを特徴とする回答評価・確認装置。
【請求項１０】
前記回答入力指示欄に回答者が回答した文字または文字列を付記したことを特徴とする請求項４に記載の回答評価・確認装置。
【請求項１１】
正解表示欄が付記されていることを特徴とする請求項１から１０の何れかに記載の回答評価・確認装置。
【請求項１２】
前記タグがハイパーテキスト言語によるタグであることを特徴とする請求項１から１３の何れかに記載の回答評価・確認装置。
【請求項１３】
さらに、当該回答者端末から受け取った回答に対する評価情報を作成する評価情報作成手段と、当該評価情報を前記応答ページに付加する評価情報付加手段を含むことを特徴とする請求項１から１２の何れかに記載の回答評価・確認装置。
【請求項１４】
請求項１から１３に記載の回答評価・確認装置を用いた採点結果表示内容作成システムであって、
前記回答要求ページ提供手段は、前記回答要求ページを問題文として前記回答者端末に提供し、
前記回答取得手段は、前記回答入力指示欄に入力された回答を、前記問題文に対する答えとして、前記回答者端末から受け取り、
前記応答ページ作成手段は、前記応答ページを採点結果表示内容として作成することを特徴とする採点結果表示内容作成システム。
【請求項１５】
前記採点結果表示内容には、前記答えが正しいときは正解を表示せず、前記答えが誤りであるときは正解を表示することを特徴とする請求項１４に記載の採点結果表示内容作成システム。
【発明の詳細な説明】
【０００１】
【発明の属する技術分野】
本発明は、ネットワークを介して接続された回答者端末において回答入力指示欄に入力された回答を受け取り、入力された回答について評価・確認を行ないその結果を前記回答者端末に返す回答評価・確認装置、および、ウェブを利用して問題を回答者端末に送り、回答者端末から解答欄に入力された答えを受け取り、当該入力された答えについて採点等を行なって、回答要求ページを前記回答者端末に返す採点結果表示内容作成システムに関する。
【０００２】
【従来の技術】
従来、ネットワークに構築されたウェブ（Ｗｅｂ）を通じて、ユーザ端末（以下、「回答者端末」と言う）に回答（たとえば、出題等）を要求し、当該回答者端末から回答ないし解答（以下、「回答」と言う）を取得して回答に対する応答（正解や採点結果）を当該回答者端末に返すシステムが知られている。
【０００３】
この種のシステムでは、回答者がたとえばオンラインで試験を受ける場合、まず、回答者端末が、出題を行なうホストないしサイト（以下、「出題ホスト」と言う）からＨＴＭＬ，ＸＭＬ等（ウェブページ作成用のマークアップ言語）で記述された問題文をロードする。問題文は、内容が記述問題であるとき、またはいわゆる穴埋め式の問題であるときは、たとえばＨＴＭＬの「ｔｅｘｔａｒｅａタグ」により記述され、多肢選択式の問題であるときには、たとえばＨＴＭＬの「ｉｎｐｕｔタグ」により記述されている。
【０００４】
回答者では、回答者端末において、問題文の回答欄に所定の答えを書き込み、出題ホストに送り返す。出題ホストでは、自動採点または採点者による採点を行い、正解および採点結果を回答者端末に応答ページとして送り返す。この応答ページに、問題文と自己がなした回答とがそのまま記載され、さらに正解が記載されていれば、回答者にとっては、問題文とそれに対する自己がなした回答との対応が一目瞭然となる。
【０００５】
【発明が解決しようとする課題】
ところで、問題文は、たとえばＨＴＭＬで作成される場合には、記述式問題（いわゆる穴埋め問題を含む）のときは「ｔｅｘｔａｒｅａタグ」により記述され、多肢選択式のときは「ｉｎｐｕｔタグ」により記述されることが多い。しかし、これらのタグは入力を促すタグ（以下，「入力要求タグ」と言う）であることから、応答ページの作成に際して、問題文に対応する部分を「ｔｅｘｔａｒｅａタグ」や「ｉｎｐｕｔタグ」を用いることはできない。このため、応答ページに記載される問題文は、出題時のものとは、大幅に異なってしまうという不都合がある。
【０００６】
本発明は、問題表示内容に回答者の入力を促す部分がある場合に、応答ページにおいて、もとの問題表示内容とほぼ同様に再現した応答ページを回答者に提供することを目的とする。
【０００７】
【課題を解決するための手段】
本発明の第１態様の回答評価・確認装置は、（１）所定タグにより作成された回答入力指示欄を有する回答要求ページを、ネットワークを介して回答者端末に提供する回答要求ページ提供手段と、（２）前記回答者端末において回答入力指示欄に入力された回答を、当該回答者端末から受け取る回答取得手段と、（３）前記回答を評価して評価情報を作成する回答評価手段と、（４）　前記評価情報の内容を含む応答ページを作成する応答ページ作成手段と、（５）前記応答ページ作成手段により作成した応答ページを前記回答者端末に送り返す応答ページ提供手段と、を備えたものであり、前記応答ページ作成手段は、前記回答入力指示欄がチェック式指示欄である場合に、
（ａ）未チェックおよびチェック済の前記回答入力指示欄に対応する個所を、未チェックの前記回答入力指示欄と類似のキャラクタを用いて表示した応答ページ、または、
（ｂ）未チェックの前記回答入力指示欄に対応する個所を、当該未チェックの前記回答入力指示欄と類似のキャラクタを用いて表示し、チェック済の前記回答入力指示欄に対応する個所を、当該チェック済の前記回答入力指示欄と類似のキャラクタを用いて表示した応答ページを作成することを特徴とする。
【０００８】
また、本発明の第１態様の回答評価・確認装置では、前記応答ページ作成手段は、前記チェック式指示欄がチェックボックスであるときは、（ａ）未チェックおよびチェック済のチェックボックスに対応する個所を、白抜き四角形キャラクタ“□”を用いて表示し、または（ｂ）未チェックのチェックボックスに対応する個所を白抜き四角形キャラクタ“□”で表示し、チェック済のチェックボックスは黒塗り四角形キャラクタ“■”で表示することができる。また、前記応答ページ作成手段は、前記チェック式指示欄がラジオボタンであるときは、（ａ）未チェックおよびチェック済のラジオボタンに対応する個所を、白抜き丸形キャラクタ“〇”を用いて表示し、または（ｂ）未チェックのラジオボタンに対応する個所を、白抜き丸形キャラクタ“〇”を用いて表示し、チェック済のラジオボタンに対応する個所を黒塗り丸形キャラクタ“●”を用いて表示することができる。
【０００９】
さらに、本発明の第１態様の回答評価・確認装置は、（１）所定タグにより作成された回答入力指示欄を有する回答要求ページを、ネットワークを介して回答者端末に提供する回答要求ページ提供手段と、（２）前記回答者端末において回答入力指示欄に入力された回答を、当該回答者端末から受け取る回答取得手段と、（３）前記回答を評価して評価情報を作成する回答評価手段と、（４）前記評価情報の内容を含む応答ページを作成する応答ページ作成手段と、（５）前記応答ページ作成手段により作成した応答ページを前記回答者端末に送り返す応答ページ提供手段とを備えたものであって、前記応答ページ作成手段は、前記回答入力指示欄が文字記入式指示欄である場合に、（ａ）前記回答入力指示欄に対応する個所を省略して表示した応答ページ、（ｂ）回答入力前の前記回答入力指示欄に対応する個所を、所定のキャラクタまたはキャラクタ列を用いて表示した応答ページ、または（ｃ）前記回答入力指示欄に対応する個所を、入力されたキャラクタの修飾キャラクタまたは入力されたキャラクタ列の修飾キャラクタ列を用いて表示した応答ページを作成することを特徴とする。
【００１０】
本発明の第１態様の回答評価・確認装置では、前記応答ページ作成手段は、前記文字記入式指示欄が、単一文字、単数行または複数行のテキスト入力エリアであるときは、前記テキスト入力エリアを、少なくとも１つの四角形キャラクタ“□”，“■”，“□□□・・・□”，“■■■・・・■”、丸形キャラクタ“〇”，“●”，“〇〇〇・・・〇”，“●●●・・・●”またはアンダースコア“＿”，“＿＿＿・・・＿”等を用いて表示し、または、所定キャラクタ（罫線素片を含む）を用いてテキスト入力エリアの輪郭を形取ることで表示することができる。
【００１１】
本発明の第１態様の回答評価・確認装置は、たとえば、オンラインの試験に、オンラインの占い等、回答者の記述に対して何らかの評価や確認を行なうシステムに適用されるもので、回答要求ページの回答者端末への提供と、回答入力指示欄に入力された回答の回答者端末からの取得はＷｅｂを通じて行われる。
【００１２】
本発明の第１態様の回答評価・確認装置では、前記タグがウェブページ作成用のマークアップ言語（ＨＴＭＬ，ＸＭＬ等）において定義されたタグであり、前記キャラクタを汎用キャラクタコードセット（日本語等、各国語のキャラクタコードセット）により定義されたキャラクタとすることができる。たとえば、本発明の第１態様の回答評価・確認装置において、上記四角形キャラクタ“□”，“■”、丸形キャラクタ“〇”，“●”、アンダースコア“＿”に代えて、ハイフォン“−”、アスタリスク“＊”、スラッシュ“／”等、日本語、英語等、各国語のキャラクタコードセット（文字コードセット）に存在するコードを用いることができる。
【００１３】
本発明の第１態様の回答評価・確認装置では、採点結果表示における問題表示内容の引用に対して、たとえば問題表示内容にＨＴＭＬのタグとして、タグ〈ｉｎｐｕｔ〉，〈ｔｅｘｔａｒｅａ〉が問題表示内容にある場合に、これらのタグにより表示される個所を“　”、“○”、“□”、“（ｔｅｘｔａｒｅａで指示された行、列の大きさの□）”として表示することができ、タグ〈ｔｅｘｔａｒｅａ〉が問題表示内容にある場合に、このタグにより表示される個所に何も表示しないまたは、回答者が回答したテキストを□に囲んで表示することができる。
【００１４】
また、タグ〈ｉｎｐｕｔ　ｔｙｐｅ＝ｔｅｘｔ〉が問題表示内容にある場合に、入力されたキャラクタ（文字）またはキャラクタ列（文字列）にアンダーラインを付して表示することができ、タグ〈ｉｎｐｕｔ　ｔｙｐｅ＝ｒａｄｉｏ〉が問題表示内容にある場合に、選択肢には“●”を付けて表示し、非選択肢には“○”を付けて表示することができ、タグ〈ｉｎｐｕｔ　ｔｙｐｅ＝ｃｈｅｃｋｂｏｘ〉が問題表示内容にある場合に、選択肢には“■”を付けて表示し、非選択肢には“□”を付けて表示することができる。
【００１５】
本発明の第１態様の回答評価・確認装置では、採点結果表示における問題表示内容の引用に対して、たとえば問題表示内容が、ＩＭＳ　ｐｒｏｊｅｃｔのＱｕｅｓｔｉｏｎ　＆　Ｔｅｓｔ　Ｉｎｔｅｒｏｐｅｒａｂｉｌｉｔｙ　Ｓｐｅｃｉｆｉｃａｔｉｏｎが規定する問題表示内容解答記述のＸＭＬ規格に則った、タグ〈ｒｅｓｐｏｎｓｅ＿ｓｔｒ〉〈ｒｅｎｄｅｒ＿ｆｉｂ　ｆｉｂｔｙｐｅ＝Ｓｔｒｉｎｇ　ｐｒｏｍｐｔ＝Ｕｎｄｅｒｌｉｎｅ〉（テキスト入力指示を示すタグ）が問題表示内容にある場合に、このタグにより表示される個所をアンダーライン付きの空白文字列“　　　　　　”に変換して表示し、または回答者が回答した内容のテキストにアンダーラインを付して表示することができ、タグ〈ｒｅｓｐｏｎｓｅ＿ｌｉｄ　ｒｃａｒｄｉｎａｌｉｔｙ＝Ｓｉｎｇｌｅ〉〈ｒｅｎｄｅｒ＿ｃｈｏｉｃｅ〉が問題表示内容にある場合に、このタグにより表示される個所を“○”に変換して表示することができる。前述したように、採点結果表示における問題表示内容の引用に際してはこのタグ表示部分に、選択肢は“●”に変換して表示し、非選択肢は“○”に変換して表示することができる。
【００１６】
また、タグ〈ｒｅｓｐｏｎｓｅ＿ｌｉｄ　ｒｃａｒｄｉｎａｌｉｔｙ＝Ｍｕｌｔｉｐｌｅ〉〈ｒｅｎｄｅｒ＿ｃｈｏｉｃｅ〉が問題表示内容にある場合に、このタグにより表示される個所を“□”に変換して表示することができ、チェック済みのチェックボックスは“■”に変換して表示し、未チェックのチェックボックスは“□”に変換して表示することができる。
【００１７】
さらに、タグ〈ｒｅｓｐｏｎｓｅ＿ｓｔｒ〉〈ｒｅｎｄｅｒ＿ｆｉｂ　ｆｉｂｔｙｐｅ＝Ｓｔｒｉｎｇ　ｐｒｏｍｐｔ＝Ｂｏｘ〉が問題表示内容にある場合に、このタグにより表示される個所を、“（ｒｅｎｄｅｒ＿ｆｉｂタグのｒｏｗｓ，ｃｏｌｕｍｎｓプロパティで指示された行、列の大きさの□）”に変換して表示し、または回答者が回答したテキストを□に囲んで表示することができ、あるいはこのタグ表示部分に何も表示しないことができる。
【００１８】
本発明の第２態様の回答評価・確認装置は、（１）所定タグにより作成された回答入力指示欄を有する回答要求ページを、ネットワークを介して回答者端末に提供する回答要求ページ提供手段と、（２）前記回答者端末において回答入力指示欄に入力された回答を、当該回答者端末から受け取る回答取得手段と、（３）前記回答を評価して評価情報を作成する回答評価手段と、（４）　前記評価情報の内容を含む応答ページを作成する応答ページ作成手段と、（５）前記応答ページ作成手段により作成した応答ページを前記回答者端末に送り返す応答ページ提供手段と、を備えたものであり、前記応答ページ作成手段は、前記回答入力指示欄がチェック式指示欄である場合に、
（ａ）未チェックおよびチェック済の前記回答入力指示欄に対応する個所を、未チェックの前記回答入力指示欄と同一形状のイメージを用いて表示した応答ページ、または、
（ｂ）未チェックの前記回答入力指示欄に対応する個所を、当該未チェックの前記回答入力指示欄と同じ形状のイメージを用いて表示し、チェック済の前記回答入力指示欄に対応する個所を、当該チェック済の前記回答入力指示欄と同じ形状のイメージを用いて表示した応答ページ、
を作成することを特徴とする。
【００１９】
一般に、前記回答入力指示欄は、チェックボックスまたはラジオボタンであり、第１実施形態では、正解を、応答ページにおける回答入力指示欄の直後（あるいは直前）に付記することができる。
【００２０】
また、本発明の第２態様の回答評価・確認装置は、（１）所定タグにより作成された回答入力指示欄を有する回答要求ページを、ネットワークを介して回答者端末に提供する回答要求ページ提供手段と、（２）前記回答者端末において回答入力指示欄に入力された回答を、当該回答者端末から受け取る回答取得手段と、（３）前記回答を評価して評価情報を作成する回答評価手段と、（４）前記評価情報の内容を含む応答ページを作成する応答ページ作成手段と、（５）前記応答ページ作成手段により作成した応答ページを前記回答者端末に送り返す応答ページ提供手段とを備えたものであって、前記応答ページ作成手段は、前記回答入力指示欄が文字記入式指示欄である場合に、前記回答入力指示欄に対応する個所を、当該回答入力欄形状に相当する下線イメージまたは枠線イメージを用いて表示した応答ページを作成することを特徴とする。
【００２１】
本発明の第２態様の回答評価・確認装置では、前記回答入力指示欄に回答者が回答した文字または文字列を付記することができ、また正解を、応答ページにおける回答入力指示欄の直後（あるいは直前）に付記することができる。
【００２２】
本発明の第２態様の回答評価・確認装置では、前記応答ページ作成手段は、前記文字記入式指示欄が、単一文字、単数行または複数行のテキスト入力エリアであるときは、前記テキスト入力エリアを、四角形の枠線イメージを用いて表示することができる。
【００２３】
本発明では、採点結果表示における問題表示内容の引用に対して、たとえば問題表示内容にＨＴＭＬのタグとして、タグ〈ｉｎｐｕｔ〉，〈ｔｅｘｔａｒｅａ〉が問題表示内容にある場合に、これらのタグにより表示される個所を下線イメージや枠線イメージで表示することができ、タグ〈ｔｅｘｔａｒｅａ〉が問題表示内容にある場合に、このタグにより表示される個所に何も表示しないまたは、回答者が回答したテキストを□に囲んで表示することができる。
【００２４】
また、タグ〈ｉｎｐｕｔ　ｔｙｐｅ＝ｔｅｘｔ〉が問題表示内容にある場合に、入力されたキャラクタ（文字）またはキャラクタ列（文字列）に、アンダーラインのイメージを付して表示することができ、タグ〈ｉｎｐｕｔ　ｔｙｐｅ＝ｒａｄｉｏ〉が問題表示内容にある場合に、選択肢には指定された状態のラジオボタンイメージ（二重円の内側の円が塗り潰されてなるイメージ）を付けて表示し、非選択肢には指定されていない状態のラジオボタンイメージ（二重円のイメージ）を付けて表示することができ、タグ〈ｉｎｐｕｔ　ｔｙｐｅ＝ｃｈｅｃｋｂｏｘ〉が問題表示内容に存在する場合に、チェック済みのボックスには四角内に“レ”，“×”，“／”等が記入されたイメージ、チェックされていないボックスには四角のイメージを付けて表示することができる。
【００２５】
本発明は、採点結果表示における問題表示内容の引用に対して、たとえば問題表示内容が、ＩＭＳ　ｐｒｏｊｅｃｔのＱｕｅｓｔｉｏｎ　＆　Ｔｅｓｔ　Ｉｎｔｅｒｏｐｅｒａｂｉｌｉｔｙ　Ｓｐｅｃｉｆｉｃａｔｉｏｎが規定する問題表示内容解答記述のＸＭＬ規格に則った、タグ〈ｒｅｓｐｏｎｓｅ＿ｓｔｒ〉〈ｒｅｎｄｅｒ＿ｆｉｂ　ｆｉｂｔｙｐｅ＝Ｓｔｒｉｎｇ　ｐｒｏｍｐｔ＝Ｕｎｄｅｒｌｉｎｅ〉（テキスト入力指示を示すタグ）が問題表示内容にある場合にも適用できる。たとえば、タグにより表示される個所を、回答者が回答した内容のテキストにアンダーラインのイメージを付して表示することができ、タグ〈ｒｅｓｐｏｎｓｅ＿ｌｉｄ　ｒｃａｒｄｉｎａｌｉｔｙ＝Ｓｉｎｇｌｅ〉〈ｒｅｎｄｅｒ＿ｃｈｏｉｃｅ〉が問題表示内容にある場合に、このタグにより表示される個所を枠線によるイメージとして表示することができる。
【００２６】
また、タグ〈ｒｅｓｐｏｎｓｅ＿ｌｉｄ　ｒｃａｒｄｉｎａｌｉｔｙ＝Ｍｕｌｔｉｐｌｅ〉〈ｒｅｎｄｅｒ＿ｃｈｏｉｃｅ〉が問題表示内容にある場合に、このタグにより表示される個所を四角に変換して表示することができ、チェック済みのボックスには四角内に“レ”，“×”，“／”等が記入されたイメージ、チェックされていないボックスには四角のイメージを付けて表示することができる。
【００２７】
さらに、タグ〈ｒｅｓｐｏｎｓｅ＿ｓｔｒ〉〈ｒｅｎｄｅｒ＿ｆｉｂ　ｆｉｂｔｙｐｅ＝Ｓｔｒｉｎｇ　ｐｒｏｍｐｔ＝Ｂｏｘ〉が問題表示内容にある場合に、このタグにより表示される個所を、“（ｒｅｎｄｅｒ＿ｆｉｂタグのｒｏｗｓ，ｃｏｌｕｍｎｓプロパティで指示された行、列の大きさの枠線のイメージ）”に変換して表示し、または回答者が回答したテキストを枠線で囲んで表示することができる。
【００２８】
本発明の第１態様および第２態様の回答評価・確認装置は、たとえば、オンラインで行われる学力テスト等の試験、オンラインの占い等、回答者の記述に対して何らかの評価や確認を行なうシステムに適用されるもので、回答要求ページの回答者端末への提供と、回答入力指示欄に入力された回答の回答者端末からの取得はＷｅｂを通じて行われる。
【００２９】
本発明の第１態様および第２態様の回答評価・確認装置では、前記タグを、ウェブページ作成用のマークアップ言語（ＨＴＭＬ，ＸＭＬ等）において定義されたタグとすることができる。
【００３０】
本発明の採点結果表示内容作成システムは、上記評価情報付加手段を含む前記回答評価・確認装置を用いたものであって、前記回答要求ページ提供手段は、前記回答要求ページを問題文として前記回答者端末に提供し、前記回答取得手段は、前記回答入力指示欄（解答欄）に入力された回答を、前記問題文に対する答えとして、前記回答者端末から受け取り、前記応答ページ作成手段は、前記応答ページを採点結果表示内容として作成することを特徴とする。
【００３１】
本発明の採点結果表示内容作成システムでは、前記採点結果表示内容には、前記答えが正しいときは正解を表示せず、前記答えが誤りであるときは正解を表示することができる。採点結果を表示する際に常に正解を表示すると、答えが正解である場合に冗長となり表示内容が多くなるが、答えが不正解である場合にのみ正解を表示するようにできるので、冗長な表示内容を減らし見やすい採点結果表示を回答者端末に提供することができる。
【００３２】
本発明の採点結果表示内容作成システムでは、問題表示内容データベース、当該問題に対する正解が格納された正解データベース、回答者の回答が格納された回答データベース、正解と回答を比較した結果が格納された採点結果データベースを備えることができ、前記応答ページ作成手段は、問題表示内容変換処理部および採点結果表示内容作成部を含むことができる。ここで問題表示内容変換処理部は、問題表示内容データベースに保存されている問題表示内容（回答要求ページに記載される問題）を、採点結果表示内容（応答ページ）の作成の基礎となる問題表示内容に変換し、これを変換後問題表示内容として採点結果表示内容作成部に渡す。採点結果表示内容作成部は、変換後問題表示内容を基に、採点結果表示内容を完成し、応答ページ提供手段がこれを回答者端末に送り返す。
【００３３】
【発明の実施の形態】
本発明の回答評価・確認装置、および採点結果表示内容作成システムの実施形態を以下に説明する。
【００３４】
図１において、出題ホスト１はネットワーク２００を介して複数の回答者端末２に接続されている。図１では、回答者端末は１台のみしか図示していないが、実際には複数の回答者端末２がネットワーク２００に接続される。出題ホスト１が本発明の採点結果表示内容作成システムを構成する。
【００３５】
出題ホスト１は、回答評価・確認装置１１と、データベース１２とを備えている。回答評価・確認装置１１は、回答ページ提供手段１１１と、回答取得手段１１２と、採点手段１１３と、採点結果表示内容作成手段（応答ページ作成手段）１１４と、採点結果表示内容提供手段（応答ページ提供手段）１１５とからなる。また、データベース１２は、出題問題が格納された問題表示内容データベース１２１と、問題に対する正解が格納された正解データベース１２２と、回答者の回答が格納される回答データベース１２３と、採点結果が格納される採点結果データベース１２４とからなる。
【００３６】
回答ページ提供手段１１１は、ＨＴＭＬで定義されたタグにより作成された回答入力指示欄を有する問題文（回答要求ページ）をネットワークを介して回答者端末に提供する。この問題文は、回答ページ提供手段１１１が、問題表示内容データベース１２１に格納した問題に基づき作成される。
【００３７】
以下、本発明の第１態様の回答評価・確認装置およびこれを用いた採点結果表示内容作成システムを以下に説明する。
図１の回答取得手段１１２は、回答者端末２において回答入力指示欄に入力された回答を受け取る。この回答は回答データベース１２３に格納される。採点手段１１３と、受け取った回答を評価して評価情報を作成する。この評価情報は、採点結果データベース１２４に格納される。
【００３８】
採点結果表示内容作成手段１１４は、採点手段（本発明の回答評価手段）１１３が作成した評価情報にかかる内容を含む採点結果表示内容（応答ページ）を作成する。この応答ベージは、回答入力指示欄がチェック式指示欄である場合には、（ａ）未チェックおよびチェック済の前記回答入力指示欄に対応する個所が、未チェックの前記回答入力指示欄と類似のキャラクタを用いて表示され、または、（ｂ）未チェックの前記回答入力指示欄に対応する個所が、当該未チェックの前記回答入力指示欄と類似のキャラクタを用いて表示され、チェック済の前記回答入力指示欄に対応する個所が、当該チェック済の前記回答入力指示欄と類似のキャラクタを用いて表示される。また、前記応答ベージは、回答入力指示欄が文字記入式指示欄である場合には、（ａ）前記回答入力指示欄に対応する個所が省略して表示され、（ｂ）回答入力前の前記回答入力指示欄に対応する個所が所定のキャラクタまたはキャラクタ列を用いて表示され、または（ｃ）前記回答入力指示欄に対応する個所が、入力されたキャラクタの修飾キャラクタまたは入力されたキャラクタ列の修飾キャラクタ列を用いて表示される。
【００３９】
本実施形態では、採点結果表示内容作成手段１１４は、問題表示内容変換処理部１１４１および採点結果表示内容作成部１１４２を含む。ここで、問題表示内容変換処理部１１４１は、問題表示内容データベース１２１に保存されている問題文（回答要求ページに記載された問題）を、採点結果表示内容の作成の基礎となる表示内容に変換し、これを変換後問題表示内容として採点結果表示内容作成部１１４２に渡す。
【００４０】
採点結果表示内容作成部１１４２は、変換後問題表示内容を基に、正解と回答を比較した採点結果が格納されている採点結果データベース１２４を参照して採点結果表示内容を完成する。採点結果データベース１２４に格納される採点結果は、採点手段１３により、正解データベース１２２と回答者の回答が格納されている回答データベース１２３とを参照して作成される。
【００４１】
出題ホスト１の概略動作を以下に説明する。まず、回答ページ提供手段１１１が、問題表示内容データベース１２１から問題を取出して、回答入力指示欄を有する回答要求ページ（問題文書）を作成し、これをネットワーク１００を介して回答者端末２に提供する。図７（Ａ）に問題表示内容のスクリプトの例を示し、図７（Ｂ）にこの問題表示スクリプトに基づき作成された問題文を示す。図７（Ｂ）では問題に答えが入力されている状態を示してある。
【００４２】
回答者端末２では回答入力指示欄に回答を入力し、回答取得手段１１２は、この回答入力指示欄に入力された回答を受け取り、これを回答データベース１２３に格納する。
【００４３】
採点手段１１３は、回答データベース１２３に格納した回答（受け取った回答）と、正解データベース１２２に格納されている正解とを比較し、評価情報を作成し、この評価情報を採点結果として、採点結果データベース１２４に格納する。
【００４４】
図２に、問題表示内容変換処理部１１４１が、問題表示内容データベース１２１に保存されている問題表示内容を所定の表示内容に変換し、これを変換後問題表示内容として採点結果表示内容作成部１１４２に渡し、採点結果表示内容作成部１１４２が、正解データベース１２２と、回答データベース１２３と、採点結果データベース１２４を参照して採点結果表示内容を作成し、これを採点結果表示内容提供手段１１５に渡すときの処理の流れを示す。
【００４５】
採点結果表示内容提供手段１１５は、上記採点結果表示内容を回答者端末２に送り返し、回答者端末２では、見易い状態で、採点結果表示内容を参照することができる。
【００４６】
問題表示内容変換処理部１１４１による処理は、以下のように行なわれる。すなわち、図３のフローチャートに示すように、まず問題表示内容変換処理部１１４の出力である変換後問題表示内容データを格納する記憶領域（変換後問題表示内容記憶領域）の中身を空にする（Ｓ１０１）。
【００４７】
つぎに、問題表示内容データベース１２１から、回答要求ページに対応する問題文に記載された問題の中から問題表示内容を１つ取り出す（Ｓ１０２）。ここで、問題表示内容が取り出されないときは処理を終了するが（Ｓ１０３の「Ｎｏ」）、問題表示内容が取り出されたときは（Ｓ１０３の「Ｙｅｓ」）、ＨＴＭＬタグを最初から探す。このとき、ＨＴＭＬ以外のスクリプトはそのまま変換後問題表示内容データ記憶領域に格納する（Ｓ１０４）。
【００４８】
つぎに、タグが〈ｉｎｐｕｔ〉タグあるいは〈ｔｅｘｔａｒｅａ〉タグでない場合には（Ｓ１０５の「Ｎｏ」）、タグとその中身を変換後問題表示内容データ記憶領域に格納する（Ｓ１０６）。
【００４９】
タグが、〈ｉｎｐｕｔ　ｔｙｐｅ＝ｔｅｘｔ〉の場合には（Ｓ１０５の「Ｙｅｓ」かつＳ１０７の「Ｙｅｓ」）のときは、このタグを“＿＿＿・・・＿”に変換して、変換後問題表示内容データ記憶領域に格納する（Ｓ１０８）。
【００５０】
タグが、〈ｉｎｐｕｔ　ｔｙｐｅ＝ｒａｄｉｏ〉の場合には（Ｓ１０７の「Ｎｏ」かつＳ１０９の「Ｙｅｓ」）、このタグを“○”に変換して、変換後問題表示内容データ記憶領域に格納する（Ｓ１１０）。
【００５１】
タグが、〈ｉｎｐｕｔ　ｔｙｐｅ＝ｃｈｅｃｋｂｏｘ〉の場合には（Ｓ１０９の「Ｎｏ」かつＳ１１１の「Ｙｅｓ」）、このタグを“□”に変換して、変換後問題表示内容データ記憶領域に格納する（Ｓ１１２）。
タグが、〈ｔｅｘｔａｒｅａ〉の場合には（Ｓ１１１の「Ｎｏ」かつＳ１１３の「Ｙｅｓ」）、タグを、「ｔｅｘｔａｒｅａで指示された行、列の大きさの□」に変換する（Ｓ１１４）。
【００５２】
そして、上記以外のＨＴＭＬタグおよびその中身を、変換後問題表示内容記憶領域に格納した後（Ｓ１１５）、処理をステップＳ１０２に戻し、ステップＳ１０３において、問題表示内容がないと判断されるまで、処理を繰り返す。
全ての問題表示内容を確認し終わったら（「ｅｎｄ」）、変換後問題表示内容データ記憶領域に格納してある情報を採点結果表示内容作成部１１４２に出力する。
【００５３】
図８（Ａ）に問題表示内容データベース１２１に格納された問題表示スクリプトの例を示し、図８（Ｂ）に変換後問題表示内容記憶領域に格納された変換後問題表示スクリプトの例を示す。
【００５４】
採点結果表示内容作成部１１４２による処理は、以下のように行なわれる。すなわち、図４のフローチャートに示すように、変換後問題表示内容データベースより問題を取り出し（Ｓ２０１）、問題があるか否かを判断し、問題がないとき（Ｓ２０２の「Ｎｏ」）は処理を終了するが、問題があるとき（Ｓ２０２の「Ｙｅｓ」）は、問題名を採点結果表示内容記憶領域に格納する（Ｓ２０３）とともに、変換後問題表示内容格データ記憶領域から取り出した問題表示内容を採点結果表示内容記憶領域に格納する（Ｓ２０４）。
【００５５】
次に、該当する問題の回答者の回答を回答データベースから取り出し、採点結果表示内容記憶領域に格納する（Ｓ２０５）。
この後、問題の採点結果を採点結果データベース１２４より取り出し採点結果表示内容記憶領域に格納する（Ｓ２０６）。
【００５６】
そして、採点結果が不正解である場合に、該当する問題の正解を正解データベースから取り出し採点結果表示内容記憶領域に格納する（Ｓ２０７）。
全ての問題に対して上記の処理が終了したら（Ｓ２０２の「Ｎｏ」）、処理を終了し、採点結果表示内容を出力する（「ｅｎｄ」）。
【００５７】
図９（Ａ）に正解データベース１２２に格納されたデータを示し、図９（Ｂ）に採点結果データベース１２４に格納されたデータを示す。また、図１０（Ａ）に採点結果表示内容記憶領域に格納された変換後問題表示スクリプトの例を示し、図１０（Ｂ）にこの変換後問題表示スクリプトに基づき作成された採点結果表示内容を示す。
【００５８】
上記の例では、問題表示内容に回答内容が含まれていないが、以下に示すように、問題表示内容に回答内容を含めることもできる。
この場合、問題表示内容変換処理部１１４１による処理は、以下のように行なわれる。すなわち、図５のフローチャートに示すように、まず問題表示内容変換処理部１１４の出力である変換後問題表示内容データを格納する記憶領域（変換後問題表示内容記憶領域）の中身を空にする（Ｓ３０１）。
【００５９】
つぎに、問題表示内容データベース１２１から、回答要求ページに対応する問題文に記載された問題の中から問題表示内容を１つ取り出す（Ｓ３０２）。ここで、問題表示内容が取り出されないときは処理を終了するが（Ｓ３０３の「Ｎｏ」）、問題表示が取り出されたときは（Ｓ３０３の「Ｙｅｓ」）、ＨＴＭＬタグを最初から探す。このとき、ＨＴＭＬ以外のスクリプトはそのまま変換後問題表示内容データ記憶領域に格納する（Ｓ３０４）。
【００６０】
つぎに、ＨＴＭＬタグが〈ｉｎｐｕｔ〉あるいは〈ｔｅｘｔａｒｅａ〉である場合には、これらのタグのｎａｍｅ属性で示される解答欄ＩＤの回答内容を回答データベースより取り出す（Ｓ３０７）。このｎａｍａ属性の値を使い以下の処理を行い、変換後問題表示内容記憶領域に格納する。
【００６１】
すなわち、タグが、〈ｉｎｐｕｔ　ｔｙｐｅ＝ｔｅｘｔ〉の場合には（Ｓ３０８の「Ｙｅｓ」）、このタグを下線付きの“（回答内容）”に変換して、変換後問題表示内容データ記憶領域に格納する（Ｓ３０９）。
タグが、〈ｉｎｐｕｔ　ｔｙｐｅ＝ｒａｄｉｏ〉の場合には（Ｓ３０８の「Ｎｏ」かつＳ３１０の「Ｙｅｓ」）、回答内容がｖａｌｕｅ属性と同じときにはこのタグを“●”に、そうでないときには“○”に変換して、変換後問題表示内容データ記憶領域に格納する（Ｓ３１１）。
【００６２】
タグが、〈ｉｎｐｕｔ　ｔｙｐｅ＝ｃｈｅｃｋｂｏｘ〉の場合には（Ｓ３１０の「Ｎｏ」かつＳ３１２の「Ｙｅｓ」）、回答内容がｖａｌｕｅ属性と同じときにはこのタグを“■”に、そうでないときには“□”に変換して、変換後問題表示内容データ記憶領域に格納する（Ｓ３１３）。
タグが、〈ｔｅｘｔａｒｅａ〉の場合には（Ｓ３１２の「Ｎｏ」かつＳ３１４の「Ｙｅｓ」）、“（回答内容をｔｅｘｔａｒｅａで指示された行、列の大きさの□で囲む）”に変換する（Ｓ３１５）。
【００６３】
そして、上記以外のＨＴＭＬタグおよびその中身を、変換後問題表示内容記憶領域に格納した後（Ｓ３１６）、処理をステップＳ３０２に戻し、ステップＳ３０３において、問題表示内容がないと判断されるまで、処理を繰り返す。
全ての問題表示内容を確認し終わったら（「ｅｎｄ」）、変換後問題表示内容データ記憶領域に格納してある情報を採点結果表示内容作成部１１４２に出力する。
【００６４】
図１０（Ａ）に問題表示内容データベース１２１に格納された問題表示スクリプトの例を示し、図１０（Ｂ）に変換後問題表示内容記憶領域に格納された変換後問題表示スクリプトの例を示す。
採点結果表示内容作成部１１４２による処理は、以下のように行なわれる。すなわち、図６のフローチャートに示すように、変換後問題表示内容データベースより問題を取り出し（Ｓ４０１）、問題があるか否かを判断し、問題がないとき（Ｓ４０２の「Ｎｏ」）は処理を終了するが、問題があるとき（Ｓ４０２の「Ｙｅｓ」）は、問題名を採点結果表示内容記憶領域に格納する（Ｓ４０３）とともに、変換後問題表示内容格データ記憶領域から取り出した問題表示内容を採点結果表示内容記憶領域に格納する（Ｓ４０４）。
【００６５】
該当する問題の採点結果を採点結果データベース１２４より取り出し採点結果表示内容記憶領域に格納する（Ｓ４０５）
そして、採点結果が不正解である場合に、該当する問題の正解を正解データベースから取り出し採点結果表示内容記憶領域に格納する（Ｓ４０６）。
全ての問題に対して上記の処理が終了したら（Ｓ４０２の「Ｎｏ」）、処理を終了し、採点結果表示内容を出力する（「ｅｎｄ」）。
【００６６】
図１１（Ａ）に採点結果表示内容記憶領域に格納された変換後問題表示スクリプトの例を示し、図１１（Ｂ）にこの変換後問題表示スクリプトに基づき作成された採点結果表示内容を示す。
【００６７】
以下、本発明の第２態様の回答評価・確認装置およびこれを用いた採点結果表示内容作成システムを以下に説明する。
図１の採点結果表示内容作成手段１１４は、採点手段（本発明の回答評価手段）１１３が作成した評価情報にかかる内容を含む採点結果表示内容（応答ページ）を作成する。この応答ベージは、回答入力指示欄がチェック式指示欄である場合には、（ａ）未チェックおよびチェック済の前記回答入力指示欄に対応する個所を、未チェックの前記回答入力指示欄と同一形状のイメージを用いて表示した応答ページ、または、（ｂ）未チェックの前記回答入力指示欄に対応する個所を、当該未チェックの前記回答入力指示欄と同じ形状のイメージを用いて表示し、チェック済の前記回答入力指示欄に対応する個所を、当該チェック済の前記回答入力指示欄と同じ形状のイメージを用いて表示される。
また、前記応答ベージは、前記回答入力指示欄が文字記入式指示欄である場合に、前記回答入力指示欄に対応する個所を、当該回答入力欄形状に相当する下線イメージまたは枠線イメージを用いて表示した応答ページにより作成される。
【００６８】
第２態様の実施形態でも、出題ホスト１および回答者端末の動作は基本的に第１態様の実施形態と同じである。また、問題表示内容のスクリプトも、前述の図７（Ａ）に示したものと同じであり、問題表示スクリプトに基づき作成された問題文も図７（Ｂ）で示したものと同じであるものとする。
【００６９】
図１２に、問題表示内容変換処理部１１４１が、問題表示内容データベース１２１に保存されている問題表示内容を所定の表示内容に変換し、これを変換後問題表示内容として採点結果表示内容作成部１１４２に渡し、採点結果表示内容作成部１１４２が、正解データベース１２２と、回答データベース１２３と、採点結果データベース１２４を参照して採点結果表示内容を作成し、これを採点結果表示内容提供手段１１５に渡すときの処理の流れを示す。
【００７０】
図１２では、図３のステップＳ１０８，Ｓ１１０，Ｓ１１２，Ｓ１１４に代えて、ステップＳ１０８′，Ｓ１１０′，Ｓ１１２′，Ｓ１１４′が実行される。
【００７１】
すなわち、Ｓ１０８′では、タグが、〈ｉｎｐｕｔ　ｔｙｐｅ＝ｔｅｘｔ〉の場合には（Ｓ１０５の「Ｙｅｓ」かつＳ１０７の「Ｙｅｓ」）のときは、このタグを「下線のイメージ」にして、変換後問題表示内容データ記憶領域に格納し、Ｓ１１０′では、タグが、〈ｉｎｐｕｔ　ｔｙｐｅ＝ｒａｄｉｏ〉の場合には（Ｓ１０７の「Ｎｏ」かつＳ１０９の「Ｙｅｓ」）、このタグをラジオボタンのイメージに変換して、変換後問題表示内容データ記憶領域に格納する。
【００７２】
また、Ｓ１１２′では、タグが、〈ｉｎｐｕｔ　ｔｙｐｅ＝ｃｈｅｃｋｂｏｘ〉の場合には（Ｓ１０９の「Ｎｏ」かつＳ１１１の「Ｙｅｓ」）、このタグをチェックボックスのイメージに変換して、変換後問題表示内容データ記憶領域に格納し、Ｓ１１４′では、タグが、〈ｔｅｘｔａｒｅａ〉の場合には（Ｓ１１１の「Ｎｏ」かつＳ１１３の「Ｙｅｓ」）、タグを、「ｔｅｘｔａｒｅａで指示された行、列の大きさの枠線のイメージ」に変換する。
【００７３】
図１４（Ａ）に問題表示内容データベース１２１に格納された問題表示スクリプトの例を示し、図１４（Ｂ）に変換後問題表示内容記憶領域に格納された変換後問題表示スクリプトの例を示す。なお、図８（Ａ），（Ｂ）では、下線，枠線，ラジオボタン，チェックボックスのイメージを表示するためのタグ（イメージスクリプト）を併せて示してある。
【００７４】
本発明の第２態様の実施形態では、採点結果表示内容作成部１１４２による処理は、第１態様の実施形態で述べた図４のフローチャートと同様に行われる。
【００７５】
正解データベース１２２に格納されたデータは、図９（Ａ）に示したものと同様であり、採点結果データベース１２４に格納されたデータも図９（Ｂ）に示したものと同様である。
また、図１５（Ａ）に採点結果表示内容記憶領域に格納された変換後問題表示スクリプトの例を示し、図１５（Ｂ）にこの変換後問題表示スクリプトに基づき作成された採点結果表示内容を示す。なお、図１５（Ａ），（Ｂ）には、下線，枠線，ラジオボタン，チェックボックスのイメージを表示するためのタグ（イメージスクリプト）も記述されている。
【００７６】
上記の例では、問題表示内容に回答内容が含まれていないが、以下に示すように、問題表示内容に回答内容を含めることもできる。
この場合、問題表示内容変換処理部１１４１による処理は、図１３のフローチャートに示すように実行される。図１３では、図５のステップＳ３０９，Ｓ３１１，Ｓ３１３，Ｓ３１５に代えて、ステップＳ３０９′，Ｓ３１１′，Ｓ３１３′，Ｓ３１５′が実行される。
【００７７】
Ｓ３０９′では、タグが、〈ｉｎｐｕｔ　ｔｙｐｅ＝ｔｅｘｔ〉の場合には（Ｓ３０８の「Ｙｅｓ」）、このタグを下線イメージが重畳した回答内容に変換して、変換後問題表示内容データ記憶領域に格納する。
Ｓ３１１′では、タグが、〈ｉｎｐｕｔ　ｔｙｐｅ＝ｒａｄｉｏ〉の場合には（Ｓ３０８の「Ｎｏ」かつＳ３１０の「Ｙｅｓ」）、回答内容がｖａｌｕｅ属性と同じときにはこのタグを指定されたラジオボタンのイメージに、そうでないときには指定されていないラジオボタンのイメージに変換して、変換後問題表示内容データ記憶領域に格納する。
【００７８】
Ｓ３１３′では、タグが、〈ｉｎｐｕｔ　ｔｙｐｅ＝ｃｈｅｃｋｂｏｘ〉の場合には（Ｓ３１０の「Ｎｏ」かつＳ３１２の「Ｙｅｓ」）、回答内容がｖａｌｕｅ属性と同じときにはこのタグを、チェックされたチェックボックスのイメージに、そうでないときにはチェックされていないチェックボックスのイメージに変換して、変換後問題表示内容データ記憶領域に格納する。
Ｓ３１５′では、タグが、〈ｔｅｘｔａｒｅａ〉の場合には（Ｓ３１２の「Ｎｏ」かつＳ３１４の「Ｙｅｓ」）、“（回答内容をｔｅｘｔａｒｅａで指示された行、列の大きさの□で囲む）”に変換する。
【００７９】
図１６（Ａ）に問題表示内容データベース１２１に格納された問題表示スクリプトの例を示し、図１６（Ｂ）に変換後問題表示内容記憶領域に格納された変換後問題表示スクリプトの例を示す。
採点結果表示内容作成部１１４２による処理は、第１態様の実施形態において説明した図６のフローチャートに示したと同様に行われる。
【００８０】
図１６（Ａ）に採点結果表示内容記憶領域に格納された変換後問題表示スクリプトの例を示し、図１６（Ｂ）にこの変換後問題表示スクリプトに基づき作成された採点結果表示内容を示す。
【００８１】
【発明の効果】
（１）問題表示内容に回答者の入力を促する部分がある場合に、その部分を採点結果表示に適切な表示に変えて表示することにより、回答者に分かりやすい採点結果表示を行うことができる。
【００８２】
（２）問題表示内容における複数行のテキスト入力の部分を、採点結果表示における問題表示内容から削除することにより、採点結果表示において無意味なアイテムである複数行のブランクがなくなり採点結果が見やすくなる。
【００８３】
（３）問題表示内容におけるテキスト入力指示の部分に対して、採点結果表示では回答者の回答をアンダーラインをつけて表示することにより、問題表示内容全体に対する回答内容の意味が分かりやすくなり採点結果が分かりやすくなる。
【００８４】
（４）問題表示内容における複数選択肢からの単数選択指示を実際に回答者がチェックした部分の色を変えて示すことにより、複数選択肢からの単数選択指示について回答者が回答した状況を思い出しやすくなり採点結果が分かりやすくなる。
【００８５】
（５）問題表示内容における複数選択肢からの複数選択指示を実際に回答者がチェックした部分の色を変えて示すことにより、複数選択肢からの複数選択指示について回答者が回答した状況を思い出しやすくなり採点結果が分かりやすくなる。
【００８６】
（６）問題表示内容における複数行のテキスト入力指示を実際に回答者が入力したように□で囲んで示すことにより、複数行のテキスト入力指示について回答者が回答した状況を思い出しやすくなり採点結果が分かりやすくなる。
【００８７】
（７）問題表示内容における回答者への入力指示の部分を実際に回答者が入力したように示すことにより、あらゆる入力指示に対して回答者が回答した状況を思い出しやすくなり採点結果が分かりやすくなる。
【００８８】
（８）問題表示内容記述が標準化規格の則った形式のものに対してもテキスト入力指示の部分を入力できない形であるがそこに入力が促されたと分かる表示にすることにより、問題表示内容を採点結果表示に適した形で表示でき回答者に分かりやすい採点結果を表示できる。
【００８９】
（９）問題表示内容記述が標準化規格の則った形式のものに対しても複数選択肢からの単数選択指示の部分を入力できない形であるがそこに入力が促されたと分かる表示にすることにより、問題表示内容を採点結果表示に適した形で表示でき回答者に分かりやすい採点結果を表示できる。
【００９０】
（１０）問題表示内容記述が標準化規格の則った形式のものに対しても複数選択肢からの複数選択指示の部分を入力できない形であるがそこに入力が促されたと分かる表示にすることにより、問題表示内容を採点結果表示に適した形で表示でき回答者に分かりやすい採点結果を表示できる。
【００９１】
（１１）問題表示内容記述が標準化規格の則った形式のものに対しても複数行のテキスト入力指示の部分を入力できない形であるがそこに入力が促されたと分かる表示にすることにより、問題表示内容を採点結果表示に適した形で表示でき回答者に分かりやすい採点結果を表示できる。
【００９２】
（１２）問題表示内容記述が標準化規格の則った形式のものに対しても複数行のテキスト入力指示の部分を採点結果表示では記述しないことにより、採点結果が見やすくなる。
【００９３】
（１３）問題表示内容記述が標準化規格の則った形式のものに対しても様々な種類の入力指示の部分を入力できない形であるがそこに入力が促されたと分かる表示にすることにより、様々な種類の入力指示を含む問題表示内容を採点結果表示に適した形で表示でき回答者に分かりやすい採点結果を表示できる。
【００９４】
（１４）問題表示内容記述が標準化規格の則った形式のものに対しても採点結果表示ではテキスト入力指示の部分に回答者の回答を付随して表示することにより、回答者が回答した状況を思い出しやすくなり採点結果が分かりやすくなる。
【００９５】
（１５）問題表示内容記述が標準化規格の則った形式のものに対しても採点結果表示では複数選択肢からの単数選択指示の部分に回答者の回答を付随して表示することにより、回答者が回答した状況を思い出しやすくなり採点結果が分かりやすくなる。
【００９６】
（１６）問題表示内容記述が標準化規格の則った形式のものに対しても採点結果表示では複数選択肢からの複数選択指示の部分に回答者の回答を付随して表示することにより、回答者が回答した状況を思い出しやすくなり採点結果が分かりやすくなる。
【００９７】
（１７）問題表示内容記述が標準化規格の則った形式のものに対しても採点結果表示では複数行のテキスト入力指示の部分に回答者の回答を付随して表示することにより、回答者が回答した状況を思い出しやすくなり採点結果が分かりやすくなる。
【００９８】
（１８）問題表示内容記述が標準化規格の則った形式のものに対しても採点結果表示では様々な入力指示の部分に回答者の回答を付随して表示することにより、様々な種類の入力指示を含む問題に対して回答者が回答した状況を思い出しやすくなり採点結果が分かりやすくなる。
【図面の簡単な説明】
【図１】本発明の第１態様，第２態様にかかる採点結果表示内容作成システムの一実施形態を示すシステム構成図である。
【図２】本発明の第１態様にかかる出題ホストにおける処理の流れを示す説明図である。
【図３】問題表示内容変換処理部による一の処理を示すフローチャートである。
【図４】本発明の第１態様にかかる採点結果表示内容作成部における一の処理を示すフローチャートである。
【図５】問題表示内容変換処理部における他の処理を示すフローチャートである。
【図６】本発明の第１態様にかかる採点結果表示内容作成部による他の処理を示すフローチャートである。
【図７】（Ａ）は本発明の問題表示内容のスクリプトの例を示す図、（Ｂ）はこの問題表示スクリプトに基づき作成された問題文を示す図である。
【図８】（Ａ）は本発明の第１態様にかかる問題表示内容データベースに格納された問題表示スクリプトの例を示す図、（Ｂ）は変換後問題表示内容記憶領域に格納された変換後問題表示スクリプトの例を示す図である。
【図９】（Ａ）は本発明の第１態様にかかる正解データベースに格納されたデータを示す図、（Ｂ）は採点結果データベースに格納されたデータを示す図である。
【図１０】（Ａ）は本発明の第１態様にかかる採点結果表示内容記憶領域に格納された変換後問題表示スクリプトの例を示す図、（Ｂ）はこの変換後問題表示スクリプトに基づき作成された採点結果表示内容を示す図である。
【図１１】（Ａ）は本発明の第１態様にかかる採点結果表示内容記憶領域に格納された変換後問題表示スクリプトの例を示す図、（Ｂ）はこの変換後問題表示スクリプトに基づき作成された採点結果表示内容を示す図である。
【図１２】本発明の第２態様にかかる出題ホストにおける処理の流れを示す説明図である。
【図１３】本発明の第２態様にかかる採点結果表示内容作成部における一の処理を示すフローチャートである。
【図１４】（Ａ）は本発明の第２態様にかかる問題表示内容データベースに格納された問題表示スクリプトの例を示す図、（Ｂ）は変換後問題表示内容記憶領域に格納された変換後問題表示スクリプトの例を示す図である。
【図１５】（Ａ）は本発明の第２態様にかかる問題表示内容データベースに格納された問題表示スクリプトの例を示す図、（Ｂ）は変換後問題表示内容記憶領域に格納された変換後問題表示スクリプトの例を示す図である。
【図１６】（Ａ）は本発明の第２態様にかかる採点結果表示内容記憶領域に格納された変換後問題表示スクリプトの例を示す図、（Ｂ）はこの変換後問題表示スクリプトに基づき作成された採点結果表示内容を示す図である。
【符号の説明】
１　出題ホスト
２　回答者端末
１１　回答評価・確認装置
１２　データベース
１１１　回答ページ提供手段
１１２　回答取得手段
１１３　採点手段
１１４　採点結果表示内容作成手段
１１５　採点結果表示内容提供手段
１２１　問題表示内容データベース
１２２　正解データベース
１２３　回答データベース
１２４　採点結果データベース
２００　ネットワーク
１１４１　問題表示内容変換処理部
１１４２　採点結果表示内容作成部
【図１】
2004145242.tif 000003
【図２】
2004145242.tif 000004
【図３】
2004145242.tif 000005
【図４】
2004145242.tif 000006
【図５】
2004145242.tif 000007
【図６】
2004145242.tif 000008
【図７】
2004145242.tif 000009
【図８】
2004145242.tif 000010
【図９】
2004145242.tif 000011
【図１０】
2004145242.tif 000012
【図１１】
2004145242.tif 000013
【図１２】
2004145242.tif 000014
【図１３】
2004145242.tif 000015
【図１４】
2004145242.tif 000016
【図１５】
2004145242.tif 000017
【図１６】
2004145242.tif 000018